(57)【特許請求の範囲】
【請求項１】
アナログ映像信号と、上記アナログ映像信号と共通で処理が可能な第１の周波数帯域を有する第１のシリアルデジタル映像信号と、上記アナログ映像信号と共通で処理が困難な、上記第１の周波数帯域より広い第２の周波数帯域を有する第２のシリアルデジタル映像信号とを共通して入力可能な入力端子と、
少なくとも直流成分から上記第２の周波数帯域まで、十分な低挿入損と所定の特性インピーダンスでの低反射特性を有し、上記入力端子に入力された信号の分岐先を選択するスイッチ手段と、
上記アナログ映像信号に適合した信号処理を行う第１の信号処理手段と、
上記第１のシリアルデジタル映像信号に適合した信号処理を行う第２の信号処理手段と、
上記第２のシリアルデジタル映像信号に適合した信号処理を行う第３の信号処理手段とを有し、
少なくとも上記スイッチ手段の一方の分岐先が上記第１の信号処理手段または上記第２の信号処理手段に接続され、上記スイッチ手段の他方の分岐先が上記第３の信号処理手段に接続され、
上記第１、第２、および第３の信号処理手段のうち、上記スイッチ手段により上記分岐先として選択されていない信号処理手段に対する電源の供給を停止する映像信号処理装置。
【請求項２】
上記スイッチ手段の上記一方の分岐先は、上記第１の信号処理手段および上記第２の信号処理手段に共に接続される請求項１に記載の映像信号処理装置。
【請求項３】
上記第２の信号処理手段は、上記第１のシリアルデジタル映像信号に適合したケーブル補正処理を行う請求項１に記載の映像信号処理装置。
【請求項４】
上記第３の信号処理手段は、上記第２のシリアルデジタル映像信号に適合したケーブル補正処理を行う請求項１に記載の映像信号処理装置。
【請求項５】
少なくとも直流成分から上記第２の周波数帯域まで、十分な低挿入損と所定の特性インピーダンスでの低反射特性を有し、アナログ映像信号と、上記アナログ映像信号と共通で処理が可能な第１の周波数帯域を有する第１のシリアルデジタル映像信号と、上記アナログ映像信号と共通で処理が困難な、上記第１の周波数帯域より広い第２の周波数帯域を有する第２のシリアルデジタル映像信号とを共通して入力可能な入力端子に入力された信号の分岐先をスイッチ手段で選択するステップと、
上記アナログ映像信号に適合した信号処理を第１の信号処理手段で行うステップと、
上記第１のシリアルデジタル映像信号に適合した信号処理を第２の信号処理手段で行うステップと、
上記第２のシリアルデジタル映像信号に適合した信号処理を第３の信号処理手段で行うステップとを有し、
少なくとも上記スイッチ手段の一方の分岐先が上記第１の信号処理手段または上記第２の信号処理手段に接続され、上記スイッチ手段の他方の分岐先が上記第３の信号処理手段に接続され、
上記第１、第２、および第３の信号処理手段のうち、上記スイッチ手段により上記分岐先として選択されていない信号処理手段に対する電源の供給を停止する映像信号処理方法。
【請求項６】
アナログ映像信号と、上記アナログ映像信号と共通で処理が可能な第１の周波数帯域を有する第１のシリアルデジタル映像信号と、上記アナログ映像信号と共通で処理が困難な、上記第１の周波数帯域より広い第２の周波数帯域を有する第２のシリアルデジタル映像信号とを共通して入力可能な入力端子と、
少なくとも直流成分から上記第２の周波数帯域まで、十分な低挿入損と所定の特性インピーダンスでの低反射特性を有し、上記入力端子に入力された信号の分岐先を選択するスイッチ手段と、
上記アナログ映像信号に適合した信号処理を行う第１の信号処理手段と、
上記第１のシリアルデジタル映像信号に適合した信号処理を行う第２の信号処理手段と、
上記第２のシリアルデジタル映像信号に適合した信号処理を行う第３の信号処理手段と、
上記第１、第２および第３の信号処理手段から出力された映像信号を所定のフォーマットの映像信号に変換し、カメラヘッドユニットに送信する映像信号送信手段と、
上記カメラヘッドユニットから送信された映像信号を受信し、所定の信号処理を施して出力する手段とを有し、
少なくとも上記スイッチ手段の一方の分岐先が上記第１の信号処理手段または上記第２の信号処理手段に接続され、上記スイッチ手段の他方の分岐先が上記第３の信号処理手段に接続され、
上記第１、第２および第３の信号処理手段のうち、上記スイッチ手段により上記分岐先として選択されていない信号処理手段に対する電源の供給を停止し、
入力された映像信号をカメラヘッドユニットに送信するカメラコントロールユニット。
【請求項７】
上記スイッチ手段の上記一方の分岐先は、上記第１の信号処理手段および上記第２の信号処理手段に共に接続される請求項６に記載のカメラコントロールユニット。
【請求項８】
上記第２の信号処理手段は、上記第１のシリアルデジタル映像信号に適合したケーブル補正処理を行う請求項６に記載のカメラコントロールユニット。
【請求項９】
上記第３の信号処理手段は、上記第２のシリアルデジタル映像信号に適合したケーブル補正処理を行う請求項６に記載のカメラコントロールユニット。
【発明の詳細な説明】
【０００１】
【発明の属する技術分野】
この発明は、周波数帯域の大きく異なる２種類のシリアルデジタル映像信号とアナログ映像信号との３つの映像信号が同一の入力端子を介して入力され、映像信号に応じて適宜分岐する映像信号処理装置および方法、並びにカメラコントロールユニットに関する。
【０００２】
【従来の技術】
マルチフォーマットと称する映像処理装置は、標準方式のシリアルデジタル映像信号（以下、「ＳＤ−ＳＤＩ（Standard Definition Serial Digital Interface）信号」と称する）と、ＨＤ方式のシリアルデジタル映像信号（以下、「ＨＤ−ＳＤＩ（High Definition Serial Digital Interface）信号」と称する）と、ＮＴＳＣ（National Television System Committee）やＰＡＬ（Phase Alternation by Line）などのアナログコンポジット映像信号（以下、「アナログ信号」と称する）とを混在させて扱うことができるものであった。従って、マルチフォーマットの映像処理装置には、ＨＤ−ＳＤＩ信号と、ＳＤ−ＳＤＩ信号と、アナログ信号との入力端子がそれぞれチャンネル毎に必要とされていた。
【０００３】
【発明が解決しようとする課題】
しかしながら、端子の配置面積が十分に取れない小型の装置では、入力端子を兼用して配置面積を有効利用することが望まれている。
【０００４】
従来、ＳＤ−ＳＤＩ信号とＨＤ−ＳＤＩ信号とを兼用する端子を有する装置や、ＳＤ−ＳＤＩ信号とアナログ信号とを兼用する端子を有する装置はあったが、これら３種類を兼用する端子を有する装置は存在しなかった。これは、ＨＤ−ＳＤＩ信号とアナログ信号とで、要求されるインピーダンス整合の帯域や増幅装置の特性が大きく違い、特に、直流付近からの低歪みを必要とする５ＭHz前後の帯域幅のアナログ信号の特性を保ちつつ、ＳＭＰＴＥ（Society of Motion Picture and Television）２９２Ｍで定められているＨＤ−ＳＤＩ信号の１．４８５ＧHzまでのインピーダンス整合を保つということが難しい。
【０００５】
これは、ＨＤ−ＳＤＩ信号は、直流付近から周波数成分を持っているがデジタル信号であるために回路の特性としてはある程度の歪みは許容されているので、増幅回路の直線性を重視するアナログ信号の増幅には適していない。逆に、アナログ信号の増幅に適した直線性の良い増幅回路への直接入力やバッファによる分岐もそのデバイスの入力容量の影響を受け、ＳＭＰＴＥ２９２Ｍで定められている広帯域（０Hz〜１．４８５ＧHz）に渡るインピーダンス整合が困難であるため、ＨＤ−ＳＤＩ信号とアナログ信号との単純な入力端子の共用は極めて難しいものであった。
【０００６】
同様に、ＳＤ−ＳＤＩ信号も、ＨＤ−ＳＤＩ信号と同様デジタル信号であるために回路の特性としてはある程度の歪みは許容されているので、増幅回路の直線性を重視するアナログ信号の増幅には適していない。逆に、アナログ信号の増幅に適した直線性の良い増幅回路への直接入力や入力端子同士の直接接続も、そのデバイスの入力容量の影響を受け、ＳＭＰＴＥ２９２Ｍで定められている０Hz〜２７０ＭHzに渡るインピーダンス整合が困難である。
【０００７】
従来のＳＤ−ＳＤＩ信号とＨＤ−ＳＤＩ信号の兼用入力用のケーブル補正装置では、大概、上位に合わせＨＤ−ＳＤＩ信号用に作られている。ＨＤ−ＳＤＩ信号では、広帯域に渡って増幅する必要があるため、大電流が必要であった。そのため、本来低消費電力で済むＳＤ−ＳＤＩ信号入力時でも、ＨＤ−ＳＤＩ入力時並みの高い電力を消費してしまう問題があった。また、ＳＤ−ＳＤＩ信号入力時であってもＨＤ−ＳＤＩ信号入力時並に発熱してしまう問題があった。
【０００８】
また、同じく従来のＳＤ−ＳＤＩ信号とＨＤ−ＳＤＩ信号の兼用入力用のケーブル補正装置では、補正するケーブル長も、指定された特性のケーブルにおいてＳＤ−ＳＤＩ信号では２００ｍの補正が必要なのだが、ＨＤ−ＳＤＩ信号用に合わせているため、ＨＤ−ＳＤＩ信号並みの１００ｍまでの補正しかできなかった。
【０００９】
従って、この発明の目的は、ＨＤ−ＳＤＩ信号と、ＳＤ−ＳＤＩ信号と、アナログ信号との何れかの信号が同一の端子から入力されても、適宜分岐させて、入力された信号に応じて最適な処理を施すことができる映像信号処理装置および方法、並びにカメラコントロールユニットを提供することにある。
【００１０】
【課題を解決するための手段】
上述した課題を達成するために請求項１の発明は、アナログ映像信号と、アナログ映像信号と共通で処理が可能な第１の周波数帯域を有する第１のシリアルデジタル映像信号と、アナログ映像信号と共通で処理が困難な、第１の周波数帯域より広い第２の周波数帯域を有する第２のシリアルデジタル映像信号とを共通して入力可能な入力端子と、少なくとも直流成分から第２の周波数帯域まで、十分な低挿入損と所定の特性インピーダンスでの低反射特性を有し、入力端子に入力された信号の分岐先を選択するスイッチ手段と、アナログ映像信号に適合した信号処理を行う第１の信号処理手段と、第１のシリアルデジタル映像信号に適合した信号処理を行う第２の信号処理手段と、第２のシリアルデジタル映像信号に適合した信号処理を行う第３の信号処理手段とを有し、少なくともスイッチ手段の一方の分岐先が第１の信号処理手段または第２の信号処理手段に接続され、スイッチ手段の他方の分岐先が第３の信号処理手段に接続され、第１、第２、および第３の信号処理手段のうち、スイッチ手段により分岐先として選択されていない信号処理手段に対する電源の供給を停止する映像信号処理装置である。
【００１１】
請求項５に記載の発明は、少なくとも直流成分から第２の周波数帯域まで、十分な低挿入損と所定の特性インピーダンスでの低反射特性を有し、アナログ映像信号と、アナログ映像信号と共通で処理が可能な第１の周波数帯域を有する第１のシリアルデジタル映像信号と、アナログ映像信号と共通で処理が困難な、第１の周波数帯域より広い第２の周波数帯域を有する第２のシリアルデジタル映像信号とを共通して入力可能な入力端子に入力された信号の分岐先をスイッチ手段で選択するステップと、アナログ映像信号に適合した信号処理を第１の信号処理手段で行うステップと、第１のシリアルデジタル映像信号に適合した信号処理を第２の信号処理手段で行うステップと、第２のシリアルデジタル映像信号に適合した信号処理を第３の信号処理手段で行うステップとを有し、少なくともスイッチ手段の一方の分岐先が第１の信号処理手段または第２の信号処理手段に接続され、スイッチ手段の他方の分岐先が第３の信号処理手段に接続され、第１、第２、および第３の信号処理手段のうち、スイッチ手段により分岐先として選択されていない信号処理手段に対する電源の供給を停止する映像信号処理方法である。
【００１２】
請求項６に記載の発明は、アナログ映像信号と、アナログ映像信号と共通で処理が可能な第１の周波数帯域を有する第１のシリアルデジタル映像信号と、アナログ映像信号と共通で処理が困難な、第１の周波数帯域より広い第２の周波数帯域を有する第２のシリアルデジタル映像信号とを共通して入力可能な入力端子と、少なくとも直流成分から第２の周波数帯域まで、十分な低挿入損と所定の特性インピーダンスでの低反射特性を有し、入力端子に入力された信号の分岐先を選択するスイッチ手段と、アナログ映像信号に適合した信号処理を行う第１の信号処理手段と、第１のシリアルデジタル映像信号に適合した信号処理を行う第２の信号処理手段と、第２のシリアルデジタル映像信号に適合した信号処理を行う第３の信号処理手段と、第１、第２および第３の信号処理手段から出力された映像信号を所定のフォーマットの映像信号に変換し、カメラヘッドユニットに送信する映像信号送信手段と、カメラヘッドユニットから送信された映像信号を受信し、所定の信号処理を施して出力する手段とを有し、少なくともスイッチ手段の一方の分岐先が第１の信号処理手段または第２の信号処理手段に接続され、スイッチ手段の他方の分岐先が第３の信号処理手段に接続され、第１、第２および第３の信号処理手段のうち、スイッチ手段により分岐先として選択されていない信号処理手段に対する電源の供給を停止し、入力された映像信号をカメラヘッドユニットに送信するカメラコントロールユニットである。
【００１３】
このように、同一の端子に、ＨＤ−ＳＤＩ信号、ＳＤ−ＳＤＩ信号、およびアナログ信号の何れか１つの信号を入力することができ、入力された１つの信号に対して最適な帯域のインピーダンス整合や信号処理を施すことができるように、その入力された１つの信号を分岐させることができる。従って、帯域の異なる３種類の信号を、同一の端子で兼用できるため、入力端子の数を削減することができ、機器の小型化や端子の配置面積を抑えることができる。
【００１４】
【発明の実施の形態】
以下、この発明の一実施形態について図面を参照して説明する。まず、図１にこの発明の一実施形態のブロック図を示す。参照符号１で示す入力端子には、ＨＤ−ＳＤＩ信号（第２のシリアルデジタル映像信号）、ＳＤ−ＳＤＩ信号（第１のシリアルデジタル映像信号）、およびアナログ信号の何れかの信号が入力される。ＨＤ−ＳＤＩ信号は、図２Ａに示すように最大0.8Vppの１．４８５Ｇbps（bit per second）の映像信号であり、ＳＤ−ＳＤＩ信号は、図２Ｂに示すように最大0.8Vppの２７０Ｍbps（bit per second）の映像信号であり、アナログ信号は、図２Ｃに示すように1Vppのアナログコンポジット映像信号である。
【００１５】
入力端子１を介して供給された信号は、ＳＰＤＴ（単極双投）スイッチ２（分岐手段）へ供給される。ＳＰＤＴスイッチ２は、直流からＨＤ−ＳＤＩ信号の伝送周波数帯域以上において十分な低挿入損と、特性インピーダンス７５Ωにおいて低反射特性とを持つ広帯域のスイッチである。この実施形態では、ＳＰＤＴスイッチ２の一例として、Ｍｉｎｉ−Ｃｉｒｃｕｉｔｓ社の型番ＭＳＷ−２−２０のものを用いることができる。
【００１６】
減衰器（Attenuator）３は、反射特性の改善のために、ＳＰＤＴスイッチ２とＨＤ−ＳＤＩケーブル補正回路（Equalizer）４のとの間に設けられている。なお、この減衰器３は、ＨＤ−ＳＤＩケーブル補正回路４の入力点において、反射が少なければ必要としない。
【００１７】
ＨＤ−ＳＤＩケーブル補正回路４は、ＨＤ−ＳＤＩ信号用のケーブル補正回路であり、入力されたＨＤ−ＳＤＩ信号の増幅と劣化した周波数特性の補正とを行い、ＨＤ−ＳＤＩ信号を後段の処理装置との接続のためにＰＥＣＬ（Positive Emitter Coupled Logic）等の論理レベルに変換する。
【００１８】
減衰器７は、反射特性の改善のために、ＳＰＤＴスイッチ２とバッファ８との間に設けられている。なお、この減衰器７は、バッファ８の入力点において、反射が少なければ必要としない。
【００１９】
バッファ８および１３は、ＳＤ−ＳＤＩケーブル補正回路１０に対してビデオアンプ１６の入力容量の影響を少なくしつつ、共通の入力信号をそれぞれの回路に分岐する低入力容量のトランジスタによるバッファである。一例として、このバッファ８および１３は、エミッタホロワで構成される。
【００２０】
ＳＤ−ＳＤＩケーブル補正回路１０は、ＳＤ−ＳＤＩ信号用のケーブル補正回路であり、入力されたＳＤ−ＳＤＩ信号の増幅と劣化した周波数特性の補正とを行い、ＳＤ−ＳＤＩ信号を後段の処理装置との接続のためにＰＥＣＬ等の論理レベルに変換する。
【００２１】
ビデオアンプ１６は、アナログ信号用の直線性の良い増幅回路である。
【００２２】
スイッチ回路５、９、１１、および１５は、入力された信号の種類によって必要な回路にのみ電源を供給するためのスイッチである。スイッチ回路５はＨＤ−ＳＤＩケーブル補正回路４に、スイッチ回路９はバッファ８および１３に、スイッチ回路１１はＳＤ−ＳＤＩケーブル補正回路１０に、スイッチ回路１５はビデオアンプ１６に供給される電源をそれぞれ制御するものである。入力端子１に入力される信号の種類によってこれらのスイッチ回路５、９、１１、および１５を適宜制御することによって、必要な回路にのみ電源を供給し、消費電力を低減させることができる。
【００２３】
スイッチ回路１４は、ＳＤ−ＳＤＩ信号入力時もバッファ１３は動作しているので、バッファ１３から電源ＯＦＦ状態のビデオアンプ１６の帰還抵抗等に信号電流が流れ込まないように、信号経路を接続または遮断するためのアナログスイッチである。スイッチ回路５、９、１１、１４、および１５の動作は入力された信号に応じて、選択装置（図示なし）によって図３に示すようにそのオン／オフが制御される。
【００２４】
ここで、入力端子１に供給された入力信号がＨＤ−ＳＤＩ信号のときの第１の例を説明する。入力信号がＨＤ−ＳＤＩ信号の場合、図３に示すように、ＳＰＤＴスイッチ２が端子Ｈを選択するため、ＨＤ−ＳＤＩ信号は減衰器３に供給される。スイッチ回路５はオンとされ、ＨＤ−ＳＤＩケーブル補正回路４に対して電源が供給され、スイッチ回路９はオフとされ、バッファ８および１３に対して電源の供給が停止され、スイッチ回路１１はオフとされ、ＳＤ−ＳＤＩケーブル補正回路１０に対して電源の供給が停止され、スイッチ回路１４はオフとされ、バッファ１３とビデオアンプ１６との間の信号経路が遮断され、スイッチ回路１５はオフとされ、ビデオアンプ１６に対して電源の供給が停止される。
【００２５】
そして、ＨＤ−ＳＤＩ信号は、ＨＤ−ＳＤＩケーブル補正回路４によって最大限（１００ｍ）のケーブル補正が施される。このとき、ＳＰＤＴスイッチ２は、直流（０Hz）からＨＤ−ＳＤＩ信号の伝送周波数帯域を超える２ＧHzの間において低反射特性とチャンネル間のアイソレーションが良い特性を示すため、入力容量の多いＳＤ−ＳＤＩ信号やアナログ信号系の回路の影響は受けず、伝送帯域（０Hz〜１．４８５ＧHz）まで十分なインピーダンス整合が可能である。またこのとき、上述したようにＨＤ−ＳＤＩ信号系の回路と、ＳＤ−ＳＤＩ信号系の回路やアナログ信号系の回路とは、ＳＰＤＴスイッチ２によって電気的に分離されるので、単純にそれらの回路に対して電源の供給を停止することができる。そのため、消費電力を必要最小限に抑えることができる。
【００２６】
次に、入力端子１に供給された入力信号がＳＤ−ＳＤＩ信号のときの第２の例を説明する。入力信号がＳＤ−ＳＤＩ信号の場合、図３に示すように、ＳＰＤＴスイッチ２が端子Ｓを選択するため、ＳＤ−ＳＤＩ信号は減衰器７に供給される。スイッチ回路５はオフとされ、ＨＤ−ＳＤＩケーブル補正回路４に対して電源の供給が停止され、スイッチ回路９はオンとされ、バッファ８および１３に対して電源が供給され、スイッチ回路１１はオンとされ、ＳＤ−ＳＤＩケーブル補正回路１０に対して電源が供給され、スイッチ回路１４はオフとされ、バッファ１３とビデオアンプ１６との間の信号経路が遮断され、スイッチ回路１５はオフとされ、ビデオアンプ１６に対して電源の供給が停止される。
【００２７】
そして、ＳＤ−ＳＤＩ信号は、バッファ８を通過して、ＳＤ−ＳＤＩケーブル補正回路１０によって最大限（２００ｍ）のケーブル補正が施される。このとき、アナログ信号系の回路へ分岐するためのバッファ１３は、適当なバイアスを加えていないとベース・コレクタ容量が大きくなり、ＳＤ−ＳＤＩ信号の周波数特性に影響を受けてしまうため、バッファ８と同時に電源が供給される。またこのとき、ＨＤ−ＳＤＩ信号系の回路と、このＳＤ−ＳＤＩ信号系の回路やアナログ信号系の回路とは、ＳＰＤＴスイッチ２によって電気的に分離されるので、消費電力の大きいその回路に対して電源の供給を停止することができる。そのため、消費電力を必要最小限に抑えることができる。
【００２８】
さらに、入力端子１に供給された入力信号がアナログ信号のときの第３の例を説明する。入力信号がアナログ信号の場合、図３に示すように、ＳＰＤＴスイッチ２が端子Ｓを選択するため、アナログ信号は減衰器７に供給される。スイッチ回路５はオフとされ、ＨＤ−ＳＤＩケーブル補正回路４に対して電源の供給が停止され、スイッチ回路９はオンとされ、バッファ８および１３に対して電源が供給され、スイッチ回路１１はオフとされ、ＳＤ−ＳＤＩケーブル補正回路１０に対して電源の供給が停止され、スイッチ回路１４はオンとされ、バッファ１３とビデオアンプ１６との間の信号経路が接続され、スイッチ回路１５はオンとされ、ビデオアンプ１６に対して電源が供給される。
【００２９】
そして、アナログ信号は、バッファ８、１３、およびスイッチ回路１４を通過して、ビデオアンプ１６によって直線性良く増幅される。またこのとき、ＨＤ−ＳＤＩ信号系の回路およびＳＤ−ＳＤＩケーブル補正回路１０に対して電源の供給を停止することができるので、必要最低限の消費電力に抑えることができる。
【００３０】
なお、入力端子１から供給される信号は、ＨＤ−ＳＤＩ信号、ＳＤ−ＳＤＩ信号、およびアナログ信号の何れであるかをユーザによって設定され、設定された信号に応じてＳＰＤＴスイッチ２、スイッチ回路５、９、１１、１４、および１５を制御するようにしても良い。
【００３１】
このように、ＨＤ−ＳＤＩ信号、ＳＤ−ＳＤＩ信号、およびアナログ信号を同一の入力端子で兼用しても、それぞれ適正なインピーダンス整合とケーブル補正をすることができる。そのため、それぞれ周波数帯域が異なるＳＭＰＴＥ２９２Ｍ、２５９Ｍなどのシリアルデジタル映像信号、並びにアナログ信号の規格を満足することができる。
【００３２】
ここで、この一実施形態を、放送業務用カメラコントロールユニット（Camera Control Unit）（以下、「ＣＣＵ」と称する）のリターンビデオ信号の入力回路に適用した他の実施形態を図４を参照して説明する。この図４は、ＣＣＵを用いた放送業務用マルチフォーマットビデオカメラのリターンビデオシステムの一例のブロック図である。
【００３３】
放送業務用ビデオカメラ（Camera Head Unit）（以下、「ＣＨＵ」と称する）６１の場合、カメラマンが見るビューファインダ（View Finder）６７には、ＣＨＵ６１で撮影している映像の他に、他のＣＨＵの映像やオンエアーされた映像などのリターンビデオという回線の映像を切り替えて表示することができるようになっている。この一例では、説明を容易とするために、ＣＣＵ２１に入力できるリターンビデオ信号の制御可能なチャンネル数を３チャンネルとし、信号源もＨＤ−ＳＤＩ信号、ＳＤ−ＳＤＩ信号、およびアナログ信号の３種類とし、それぞれ入力端子２３ａ、２３ｂ、および２３ｃに供給されることとした。従って、後述するＳＰＤＴスイッチ２４ａは、端子Ｈａと接続され、ＳＰＤＴスイッチ２４ｂおよび２４ｃは、端子ＳｂおよびＳｃと接続される。
【００３４】
なお、入力端子２３ａはリターンビデオ信号のチャンネル１（以下、「ＲＥＴ１」と称する）の入力端子であり、入力端子２３ｂはリターンビデオ信号のチャンネル２（以下、「ＲＥＴ２」と称する）の入力端子であり、入力端子２３ｃはリターンビデオ信号のチャンネル３（以下、「ＲＥＴ３」と称する）の入力端子である。
【００３５】
このＣＣＵ２１には、リターンビデオ信号の制御可能なチャンネル数を３チャンネルとするので、３つの入力部２２ａ、２２ｂ、および２２ｃが設けられている。入力部２２ａは、ＳＰＤＴスイッチ２４ａ、減衰器２５ａ、２７ａ、ＨＤ−ＳＤＩケーブル補正回路２６ａ、バッファ２８ａ、２９ａから構成される。入力部２２ｂは、ＳＰＤＴスイッチ２４ｂ、減衰器２５ｂ、２７ｂ、ＨＤ−ＳＤＩケーブル補正回路２６ｂ、バッファ２８ｂ、２９ｂから構成される。入力部２２ｃは、ＳＰＤＴスイッチ２４ｃ、減衰器２５ｃ、２７ｃ、ＨＤ−ＳＤＩケーブル補正回路２６ｃ、バッファ２８ｃ、２９ｃから構成される。この入力部２２ａ、２２ｂ、および２２ｃは、その構成が全く同一であるため、入力部２２ｂおよび２２ｃの図示を省略する。
【００３６】
入力端子２３ａに供給されるＨＤ−ＳＤＩ信号は、ＳＰＤＴスイッチ２４ａに供給される。ＳＰＤＴスイッチ２４ａでは、ＨＤ−ＳＤＩ信号が供給されているので端子Ｈａが選択される。そして、ＨＤ−ＳＤＩ信号は、減衰器２５ａを通過してＨＤ−ＳＤＩケーブル補正回路２６ａに供給される。ＨＤ−ＳＤＩケーブル補正回路２６ａは、ＨＤ−ＳＤＩ信号用のケーブル補正回路であり、入力されたＨＤ−ＳＤＩ信号の増幅と劣化した周波数特性の補正とを行い、後段の処理装置との接続のためにＰＥＣＬ等の論理レベルに変換する。
【００３７】
ＨＤ−ＳＤＩケーブル補正回路２６ａから出力されるＨＤ−ＳＤＩ信号は、スイッチ部３３のスイッチ回路３３ａが端子３３ａ１に接続されることによって、端子３０ａからシリアル／パラレル変換器（Serial / Parallel Converter）３４へ供給される。
【００３８】
このスイッチ部３３のスイッチ回路３３ａ、３３ｂ、および３３ｃは、互いに電気的には絶縁されているが、その動作は連動するものである。また、入力端子２３ａにＳＤ−ＳＤＩ信号が供給された場合、ＳＤ−ＳＤＩ信号は端子３１ａからスイッチ回路３３ｂの端子３３ｂ１に供給され、入力端子２３ａにアナログ信号が供給された場合、アナログ信号は端子３２ａからスイッチ回路３３ｃの端子３３ｃ１に供給される。
【００３９】
シリアル／パラレル変換器３４において、ＨＤ−ＳＤＩ信号がパラレル信号へ変換される。このように、ＨＤ−ＳＤＩ信号から変換したパラレル信号を、ＨＤパラレル信号と称する。変換されたＨＤパラレル信号は、スイッチ回路３５が端子ＨＤに接続されることによって、フレーム変換器（Frame Converter）３６へ供給される。
【００４０】
フレーム変換器３６では、例えばＣＨＵ６１が２４Ｐsf（２４フレームプログレッシブ）モードで動作していた場合、ビューファインダ６７も同じフレームレートで動作するため、６０ｉ（６０フィールドインターレース）などのリターンビデオ信号はそのままのフレームレートではビューファインダ６７に表示することができないので、２４Ｐsfのフレームレートに変換するフレームコンバータである。ただし、ＣＨＵ６１とリターンビデオ信号が同一フレームレートの場合、すなわちフレーム変換器３６に供給された信号が同一フレームレートのＨＤパラレル信号の場合、フレーム変換は施されない。また一例として、このフレーム変換器３６では、５９．９４ｉのリターンビデオ信号は、２３．９８Ｐsfに変換される。
【００４１】
パラレル／シリアル変換器（Parallel / Serial Converter）３７では、フレーム変換器３６においてフレームレートが変換されたＨＤパラレル信号がＨＤ−ＳＤＩ信号へ変換される。
【００４２】
そして、ＣＣＵ２１とＣＨＵ６１との間の伝送路５９が光ファイバであれば、出力端子３９と結合するＣＣＵ２１の出力部の回路３８は、電気信号／光信号変換器（Electric signal / Optical signal Converter）となり、伝送路５９が同軸ケーブルであれば、出力端子３９と結合するＣＣＵ２１の出力部の回路３８は、ケーブルドライバとなる。この他の実施形態では、伝送路５９を光ファイバとして説明する。従って、出力部の回路３８は、電気信号／光信号変換器３８とする。後述する回路７７も同様であり、この他の実施形態では、伝送路５９を光ファイバとするので、この回路７７は、電気信号／光信号変換器７７とする。なお、ＣＣＵ２１とＣＨＵ６１との間の伝送路５９は、往復２本で構成される。
【００４３】
また、ＣＣＵ２１とＣＨＵ６１との間の伝送路５９が光ファイバであれば、入力端子５１と結合するＣＣＵ２１の入力部の回路５２は、光信号／電気信号変換器（Optical signal / Electric signal Converter）となり、伝送路５９が同軸ケーブルであれば、入力端子５１と結合するＣＣＵ２１の入力部の回路５２は、ケーブル補正回路、例えばイコライザ（Equalizer）となる。この他の実施形態では、伝送路５９を光ファイバとするので、入力部の回路５２は、光信号／電気信号変換器５２とする。後述する回路６３も同様であり、この他の実施形態では、伝送路５９を光ファイバとするので、この回路６３は、光信号／電気信号変換器６３とする。
【００４４】
電気信号／光信号変換器３８では、パラレル／シリアル変換器３７から供給されるＨＤ−ＳＤＩ信号、すなわち電気信号が光信号へ変換される。変換された光信号は、出力端子３９と接続されている伝送路５９を介してＣＨＵ６１へ供給される。
【００４５】
入力端子２３ｂに供給されるＳＤ−ＳＤＩ信号は、ＳＰＤＴスイッチ２４ｂに供給される。ＳＰＤＴスイッチ２４ｂでは、ＳＤ−ＳＤＩ信号が供給されているので端子Ｓｂが選択される。そして、ＳＤ−ＳＤＩ信号は、減衰器２７ｂ、バッファ２８ｂ、および端子３１ｂを通過してスイッチ回路３３ｂの端子３３ｂ２へ供給される。スイッチ回路３３ｂが端子３３ｂ２に接続されることによって、ＳＤ−ＳＤＩ信号は、ＳＤ−ＳＤＩケーブル補正回路４１へ供給される。
【００４６】
なお、入力端子２３ｂにＨＤ−ＳＤＩ信号が供給された場合、ＨＤ−ＳＤＩ信号は端子３０ｂからスイッチ回路３３ａの端子３３ａ２に供給され、入力端子２３ｂにアナログ信号が供給された場合、アナログ信号は端子３２ｂからスイッチ回路３３ｃの端子３３ｃ２に供給される。
【００４７】
ＳＤ−ＳＤＩケーブル補正回路４１は、ＳＤ−ＳＤＩ信号用のケーブル補正回路であり、入力されたＳＤ−ＳＤＩ信号の増幅と劣化した周波数特性の補正とを行い、後段の処理装置との接続のためにＰＥＣＬ等の論理レベルに変換する。
【００４８】
ＳＤ−ＳＤＩケーブル補正回路４１から出力されるＳＤ−ＳＤＩ信号は、シリアル／パラレル変換器４２へ供給される。シリアル／パラレル変換器４２において、ＳＤ−ＳＤＩ信号がＤ１（デジタル・コンポーネント）方式のパラレル信号（以下、「Ｄ１パラレル信号」と称する）へ変換される。変換されたＤ１パラレル信号は、スイッチ回路４３が端子Ｄ１に接続されることによって、アップコンバータ（Up Converter）４４へ供給される。
【００４９】
アップコンバータ４４では、ＣＣＵ２１とＣＨＵ６１との間の伝送フォーマットがＨＤ−ＳＤＩ信号なので、それに合わせるために、Ｄ１パラレル信号がＨＤパラレル信号へ変換される。このように、Ｄ１パラレル信号をアップコンバートして、ＨＤパラレル信号に変換した信号を、ＨＤ−ＳＤＩ信号から変換されたＨＤパラレル信号と区別するために、ＨＤ（Ｄ１）パラレル信号と称する。アップコンバータ４４でアップコンバートされたＨＤ（Ｄ１）パラレル信号は、スイッチ回路３５が端子ＨＤ（Ｄ１）に接続されることによって、フレーム変換器３６へ供給される。
【００５０】
入力端子２３ｃに供給されるアナログ信号は、ＳＰＤＴスイッチ２４ｃに供給される。ＳＰＤＴスイッチ２４ｃでは、アナログ信号が供給されているので端子Ｓｃが選択される。そして、アナログ信号は、減衰器２７ｃ、バッファ２８ｃ、２９ｃおよび端子３２ｃを通過してスイッチ回路３３ｃの端子３３ｃ３へ供給される。スイッチ回路３３ｃが端子３３ｃ３に接続されることによって、アナログ信号は、ビデオアンプ４５へ供給される。
【００５１】
なお、入力端子２３ｃにＨＤ−ＳＤＩ信号が供給された場合、ＨＤ−ＳＤＩ信号は端子３０ｃからスイッチ回路３３ａの端子３３ａ３に供給され、入力端子２３ｃにＳＤ−ＳＤＩ信号が供給された場合、ＳＤ−ＳＤＩ信号は端子３１ｃからスイッチ回路３３ｂの端子３３ｂ３に供給される。
【００５２】
ビデオアンプ４５は、アナログ信号用の直線性の良い増幅回路である。Ａ／Ｄ変換器（Analog / Digital Converter）４６は、ビデオアンプ４５からのアナログ信号をＡ／Ｄ変換し、さらにＤ１パラレル信号に変換するＤ１エンコーダである。このように、アナログ信号（ＶＢＳ：Video Burst and Sync signal）をＡ／Ｄ変換してＤ１パラレル信号に変換した信号を、ＳＤ−ＳＤＩ信号から変換したＤ１パラレル信号と区別するために、Ｄ１（ＶＢＳ）パラレル信号と称する。Ａ／Ｄ変換器４６によって変換されたＤ１（ＶＢＳ）パラレル信号は、スイッチ回路４３が端子Ｄ１（ＶＢＳ）に接続されることによって、アップコンバータ４４へ供給される。
【００５３】
このように、スイッチ部３３のスイッチ回路３３ａには、入力端子２３ａ、２３ｂ、および２３ｃから供給されるＨＤ−ＳＤＩ信号が供給され、スイッチ回路３３ｂには、入力端子２３ａ、２３ｂ、および２３ｃから供給されるＳＤ−ＳＤＩ信号が供給され、スイッチ回路３３ｃには、入力端子２３ａ、２３ｂ、および２３ｃから供給されるアナログ信号が供給される。
【００５４】
ＣＣＵ２１から供給された光信号は、ＣＨＵ６１の端子６２へ供給される。端子６２へ供給された光信号は、光信号／電気信号変換器６３へ供給され、電気信号、すなわちＨＤ−ＳＤＩ信号へ変換される。シリアル／パラレル変換器６４では、光信号／電気信号変換器６３からのＨＤ−ＳＤＩ信号がＨＤパラレル信号へ変換される。Ｄ／Ａ変換器（Digital / Analog Converter）６５では、シリアル／パラレル変換器６４から供給されるＨＤパラレル信号がアナログ信号へ変換される。変換されたアナログ信号は、スイッチ回路６６が端子ＲＥＴに接続されることによって、ビューファインダ６７に供給され、ビューファインダ６７に表示される。このとき、ビューファインダ６７には、ＣＣＵ２１から供給されるリターンビデオ信号の映像が表示される。
【００５５】
レンズブロック７１から被写体の像が照射される。照射された被写体の像は、ＣＣＤ（Charge Coupled Device）ブロック７２で露光され、電荷として蓄積される。蓄積された電荷は、所定のタイミングで転送され、アナログ信号の映像信号に変換される。変換されたアナログ信号は、ＣＣＤブロック７２からＡ／Ｄ変換器７３へ供給される。Ａ／Ｄ変換器７３では、供給されたアナログ信号がデジタル信号のＨＤパラレル信号へ変換される。プロセッサ部７４では、供給されたＨＤパラレル信号に対して輝度信号補正、色信号補正、信号変換などの処理が施される。処理が施されたＨＤパラレル信号は、Ｄ／Ａ変換器７５およびパラレル／シリアル変換器７６へ供給される。
【００５６】
Ｄ／Ａ変換器７５では、供給されたＨＤパラレル信号がアナログ信号へ変換される。変換されたアナログ信号は、スイッチ回路６６が端子ＣＡＭに接続されることによって、ビューファインダ６７へ供給される。このとき、ビューファインダ６７には、ＣＨＵ６１で撮影されている映像が表示される。
【００５７】
パラレル／シリアル変換器７６では、供給されたＨＤパラレル信号がＨＤ−ＳＤＩ信号へ変換される。電気信号／光信号変換器７７では、変換されたＨＤ−ＳＤＩ信号が電気信号から光信号へ変換される。変換された光信号は、出力端子７８と接続されている伝送路５９を介してＣＣＵ２１の端子５１へ供給される。
【００５８】
端子５１へ供給された光信号は、光信号／電気信号変換器５２へ供給され、光信号からＨＤ−ＳＤＩ信号の電気信号へ変換される。シリアル／パラレル変換器５３では、光信号／電気信号変換器６３からのＨＤ−ＳＤＩ信号がＨＤパラレル信号へ変換される。プロセッサ部５４では、シリアル／パラレル変換器５３からのＨＤパラレル信号に対して信号変換や補正処理が施される。パラレル／シリアル変換器５５では、プロセッサ部５４からのＨＤパラレル信号がＨＤ−ＳＤＩ信号へ変換される。変換されたＨＤ−ＳＤＩ信号は、出力端子５６からカメラ信号ＣＡＭ  ＯＵＴとして出力される。
【００５９】
ここで、ＣＨＵ６１において、例えばＲＥＴ１、ＲＥＴ２、およびＲＥＴ３の何れかを選択することによって、ビューファインダ６７でリターンビデオ信号を確認することができる。例えば、ＣＨＵ６１において、ＲＥＴ１が選択された場合、スイッチ部３３では、端子３３ａ１、３３ｂ１、および３３ｃ１が選択され、ＲＥＴ１の入力端子２３ａから供給される信号がＨＤ−ＳＤＩ信号であるので、スイッチ回路３５では、端子ＨＤが選択される。従って、入力されたＨＤ−ＳＤＩ信号は、端子３０ａを通過し、シリアル／パラレル変換器３４でＨＤパラレル信号に変換され、フレーム変換器３６へ供給される。そして、上述したように、選択されたＲＥＴ１の入力端子２３ａから供給されるＨＤ−ＳＤＩ信号のリターンビデオ信号は、ビューファインダ６７に表示される。
【００６０】
また、ＣＨＵ６１において、ＲＥＴ２が選択された場合、スイッチ部３３では、端子３３ａ２、３３ｂ２、および３３ｃ２が選択され、ＲＥＴ２の入力端子２３ｂから供給される信号がＳＤ−ＳＤＩ信号であるので、スイッチ回路４３では、端子Ｄ１が選択され、スイッチ回路３５では、端子ＨＤ（Ｄ１）が選択される。従って、入力されたＳＤ−ＳＤＩ信号は、端子３１ｂを通過し、シリアル／パラレル変換器４２でＤ１パラレル信号に変換され、アップコンバータ４４へ供給される。そして、上述したように、選択されたＲＥＴ２の入力端子２３ｂから供給されるＳＤ−ＳＤＩ信号のリターンビデオ信号は、ビューファインダ６７に表示される。
【００６１】
そして、ＣＨＵ６１において、ＲＥＴ３が選択された場合、スイッチ部３３では、端子３３ａ３、３３ｂ３、および３３ｃ３が選択され、ＲＥＴ３の入力端子２３ｃから供給される信号がアナログ信号であるので、スイッチ回路４３では、端子Ｄ１（ＶＢＳ）が選択され、スイッチ回路３５では、端子ＨＤ（Ｄ１）が選択される。従って、入力されたアナログ信号は、端子３２ｃを通過し、Ａ／Ｄ変換器４６でＤ１（ＶＢＳ）パラレル信号に変換される。そして、上述したように、選択されたＲＥＴ３の入力端子２３ｃから供給されるアナログ信号のリターンビデオ信号は、ビューファインダ６７に表示される。
【００６２】
このように、ＣＣＵは一般的にチャンネル数が２チャンネル〜４チャンネルと多いため、この発明を適用することに依り、それら異種信号の入力端子を１端子で兼用でき、機器の端子面積の節約が可能となる。
【００６３】
従来、このようなリターンビデオ信号の入力が３チャンネルで、３種類の信号が混在するシステムでは、入力端子が９個（＝３×３）必要であったが、この他の実施形態に示すように、３個のみで実現でき、機器の端子面積の節約が可能である。また、同様にして、ｎチャンネルで３種類の信号混在のリターンビデオシステムの場合、ｎ個の端子で実現することができる。
【００６４】
この他の実施形態では、ＨＤ−ＳＤＩケーブル補正回路２６ａ、２６ｂ、および２６ｃは、それぞれ入力部２２ａ、２２ｂ、および２２ｃに設けているが、入力部２２ａ、２２ｂ、および２２ｃからＨＤ−ＳＤＩケーブル補正回路２６ａ、２６ｂ、および２６ｃを取り除き、スイッチ部３３のスイッチ回路３３ａとシリアル／パラレル変換器３４との間に、ＨＤ−ＳＤＩケーブル補正回路を設けるようにしても良い。また、入力部２２ａ、２２ｂ、および２２ｃから減衰器２５ａ、２５ｂ、および２５ｃ並びにＨＤ−ＳＤＩケーブル補正回路２６ａ、２６ｂ、および２６ｃを取り除き、スイッチ部３３のスイッチ回路３３ａとシリアル／パラレル変換器３４との間に、減衰器およびＨＤ−ＳＤＩケーブル補正回路を設けるようにしても良い。さらに、ＳＰＤＴスイッチ２４ａ、２４ｂ、および２４ｃの直ぐ後段にスイッチ部３３を設けるようにしても良い。
【００６５】
この他の実施形態では、上述の一実施形態に示したスイッチ回路５、９、１１、１４、および１５に該当するスイッチ回路を省略しているが、入力された信号に応じてスイッチ回路は、上述と同様の制御が行われる。
【００６６】
この発明は、上述したこの発明の一実施形態等に限定されるものでは無く、この発明の要旨を逸脱しない範囲内で様々な変形や応用が可能である。
【００６７】
この実施形態では、ＳＤ−ＳＤＩ信号の一例としてＤ１方式のシリアル信号を用いているが、Ｄ２方式のシリアル信号を用いるようにしても良い。
【００６８】
【発明の効果】
この発明に依れば、マルチフォーマットの映像処理装置において、同時に使用することがないＳＤ−ＳＤＩ信号やＨＤ−ＳＤＩ信号などの２種類のシリアルデジタル映像信号とアナログ信号との３種類の入力を、同一の端子で兼用できるため、入力端子の数を削減でき、機器の小型化や端子の配置面積の有効利用が可能となる。
【００６９】
この発明に依れば、マルチフォーマットの映像処理装置において、ＳＤ−ＳＤＩ信号やＨＤ−ＳＤＩ信号などの２種類のシリアルデジタル映像信号とアナログ信号との３種類の映像信号を、同一の端子で入力した後、適正なケーブル補正回路等の信号処理装置に分岐し、それ以外の回路に対して電源の供給を停止するため、消費電力の最適化が可能である。従って、発熱も信号に応じた発熱量に抑えることができる。
【００７０】
この発明に依れば、マルチフォーマットの映像処理装置において、ＳＤ−ＳＤＩ信号やＨＤ−ＳＤＩ信号などの２種類のシリアルデジタル映像信号とアナログ信号との３種類の映像信号を、同一の端子で入力した後、それぞれ適正な帯域のインピーダンス整合を保ちつつ、それぞれ適正なケーブル補正回路等の信号処理装置に分岐するため、それぞれ本来満たすべき最大限のケーブルの延長が可能である。
【図面の簡単な説明】
【図１】この発明の一実施形態を説明するためのブロック図である。
【図２】この発明の一実施形態に用いる信号を説明するための略線図である。
【図３】この発明の一実施形態を説明するための略線図である。
【図４】この発明の他の実施形態の全体的な構成について説明するためのブロック図である。
【符号の説明】
２・・・ＳＰＤＴスイッチ、３、７・・・減衰器、４・・・ＨＤ−ＳＤＩケーブル補正回路、５、９、１１、１４、１５・・・スイッチ回路、８、１３・・・バッファ、１０・・・ＳＤ−ＳＤＩケーブル補正回路、１６・・・ビデオアンプ
【図１】
0004182672.tif 000002
【図２】
0004182672.tif 000003
【図３】
0004182672.tif 000004
【図４】
0004182672.tif 000005